(57)【特許請求の範囲】
【請求項１】
伸縮性のある面状弾性体を座面に備え、該面状弾性体の端末をシートフレームに連結するシートにおいて、
断面Ｌ字状の支持プレートを備え、前記面状弾性体の端末を該支持プレートの片辺に連結し、該支持プレートの片辺を前記シートフレームの上方で前記座面に沿って配置し、前記面状弾性体を支持プレートの他辺で引っ張るように該支持プレートの他辺をネジ止め具でシートフレームに締付け固定したことを特徴とする面状弾性体による座面を有するシート。
【発明の詳細な説明】
【０００１】
【発明の属する技術分野】
本発明は、伸縮性のある面状弾性体から座面を形成する面状弾性体による座面を有するシートに関するものである。
【０００２】
【従来の技術】
既に、伸縮性のある面状弾性体から座面を形成するシートは知られている（ＵＳＰ５，０１３，０８９、同５，５３３，７８９、特表平８ー５０７９３５号）。この種のシートはデザイン的に変り、クッションパッドやシートスプリング等を省け、通気性を付与できると共に軽量化を図れ、面状弾性体が薄いところからスペース効率もよい。
【０００３】
その面状弾性体から座面を形成するシートにおいては、面状弾性体を組付け張設するのにあたり、樹脂枠を面状弾性体の端末に備え、この樹脂枠をシートフレームの軸線上に設けた凹溝に嵌め込んで固定する。また、面状弾性体の端末をシートフレームの軸線上に回し込んで押えプレートと共にねじ止め固定するようにされている。
【０００４】
上述したシートでは面状弾性体の端末をシートフレームに直接固定するものであるため、面状弾性体のテンションを調節することができず、テンションを変えるときには別の寸法のものによらなければならない。また、そのシートでは土手部がほとんどないため、着座時のホールド性に欠ける。
【０００５】
【発明が解決しようとする課題】
本発明は、面状弾性体の組付け張設時に、面状弾性体のテンションを容易に調節可能な面状弾性体による座面を有するシートを提供することを目的とする。
【０００６】
それに加えて、着座時のホールド性を保て、面状弾性体の組付け張設を容易に行える面状弾性体による座面を有するシートを提供することを目的とする。
【０００７】
【課題を解決するための手段】
本発明に係る面状弾性体による座面を有するシートにおいては、伸縮性のある面状弾性体を座面に備え、該面状弾性体の端末をシートフレームに連結するもので、
断面Ｌ字状の支持プレートを備え、前記面状弾性体の端末を該支持プレートの片辺に連結し、該支持プレートの片辺を前記シートフレームの上方で前記座面に沿って配置し、前記面状弾性体を支持プレートの他辺で引っ張るように該支持プレートの他辺をネジ止め具でシートフレームに締付け固定することにより構成されている。
【０００８】
【発明の実施の形態】
以下、添付図面を参照して説明すると、図示実施の形態は図１で示すように車両用シートにおいてシートクッションＣ並びにシートバックＢの座部を面状弾性体１で形成するに適用されている。
【０００９】
面状弾性体１は伸縮性のある布地でなり、例えば内装織物に使用される繊維状ヤーンからなる複数のストランドで交織された複数のエラストマーモノフィラメントで形成したものを用いるようにできる。また、１０００〜４０００デニールのエラストマーモノフィラメントを経糸また緯糸として用いることにより主たる伸縮性を付与した織物または編物を用いるようにできる。
【００１０】
面状弾性体１を組付け張設するには、面状弾性体１の端末を金属製のパイプ部材でなるシートフレーム２（以下、「パイプフレーム」という。）に取り付けることが行なわれている。また、面状弾性体１の端末を支持プレート３に連結させてパイプフレーム２に取り付けることが行なわれている。更に、支持プレート３はネジ止め具４ａ，４ｂでパイプフレーム２に締付け固定することが行なわれている。
【００１１】
支持プレート３としては、鉄鋼，ステンレス等の金属材料から形成した断面Ｌ字状の山形部材が用いられている。この支持プレート３は、片辺３ａをパイプフレーム２の上方で座面に沿わせることにより外向きに向けると共に、ボルト４ａ，ナット４ｂをネジ止め具として面状弾性体１を引っ張るように他辺３ｂをパイプフレーム２に締付け固定することからパイプフレーム２に取り付けられている。
【００１２】
その支持プレート３に対し、面状弾性体１は図２で示すようにポリプロピレン等の合成樹脂から形成されたトリムコード５を面状弾性体１の端末に縫着し、トリムコード５を外向きの片辺３ａに掛け止めることにより端末を連結することができる。このトリムコード５には、釣り針状の断面形状を有するものを用いるとよい。そのトリムコード５では、内端側に設けられた突起５ａを支持プレート３の片辺３ａに係止することにより面状弾性体１に加わる張力に耐えられるよう支持プレート３に強固に掛け止めることができる。
【００１３】
それに代えて、面状弾性体１は図３で示す如くトリコット等の強度的に強い布材６を端末に縫着し、この布材６をポップリベットやボルト，ナット等の止め具７で支持プレート３の片辺３ａにあてがい固定することにより端末を支持プレート３に連結することができる。その止め具７によるときには、熱間圧延材料でなる座金８を軸線上に介在させるとよい。また、布材６にはワイヤー９を内側に巻き込んで止め具７の取付位置外側に配置すれば、面状弾性体１に加わる張力によるズレ止めを図ることができる。
【００１４】
図２，図３で示す場合は、支持プレート３の片辺３ａをシートの外方に向けて他辺３ｂをパイプフレーム２の軸内側にあてがうことによりボルト４ａ，ナット４ｂで締め付け固定されている。この場合には、ナット４ｂがパイプフレーム２の軸内側に溶接固定されている。
【００１５】
上述した実施の形態の他に、図４で示すように支持プレート３の片辺３ａをシートの内方に向けて他辺３ｂをパイプフレーム２の軸外側面にあてがうことによりボルト４ａ，ナット４ｂで締め付け固定することもできる。この場合には、ボルト４ａのねじ軸部をシートの外方に向けてパイプフレーム２の軸線上から支持プレート３の他辺３ｂに貫通させることによりナット４ｂで締付け固定すればよい。
【００１６】
また、面状弾性体１は図３で示すと同様に端末を布材６に連結し、ポップリベット等の止め具７で支持プレート３の片辺３ａに連結すればよい。その他に、ボルト４ａは頭部をパイプフレーム２の軸内側面に溶接固定するようにできる。
【００１７】
このように構成するシートでは、面状弾性体１の端末を連結した支持プレート３の片辺３ａをパイプフレーム２の上方で座面に沿って配置し、面状弾性体１を支持プレート３の他辺３ｂで引っ張るよう支持プレート３の他辺３ｂをパイプフレーム２にボルト４ａ，ナット４ｂで締め付けることにより、面状弾性体１のテンションをネジ止め具４ａ，４ｂのねじ込み度合いで調整するようにできる。
【００１８】
この他に、図２，３で示すようにスペーサ１０を支持プレート３とナット４ｂとの間に介在させ、また、図４で示すように支持プレート３の他辺３ｂとパイプフレーム２の軸外側面との間に介在することにより面状弾性体１のテンションを強弱調整するようにもできる。
【００１９】
その面状弾性体１は端末を支持プレート３の片辺３ａに予め連結するため、当該端末を支持プレート３に容易に連結することができる。また、支持プレート３の締付けの際には、面状弾性体１の端末を連結した支持プレート３の片辺３ａより直角方向に屈曲位置する他辺３ｂの板面に向けてボルト４ａのねじ込処理を行えるから、このボルト４ａを他の構成部材により何も邪魔されないで容易にねじ込み固定することができる。
【００２０】
そのシートにおいては、面状弾性体１による座面より大きく隆起する土手部１１を組み付けることができる。この土手部１１は表皮材１１ａの端末を面状弾性体１による座面の臨界線に縫着させて表皮材１１ａを面状弾性体１と連続状に備え、軟質フォームまたは綿状物を土手部パッド１１ｂとし、断面Ｌ字状のアングル部材１１ｃを土手部パッド１１ｂの受け部材としてパイプフレーム２の外側面に溶接固定し、土手部パッド１１ｂをアングル部材１１ｃに組み付けて土手部パッド１１ｂを表皮材１１ａで被包することにより組み立てることができる。
【００２１】
土手部１１の表皮材１１ａは、ポリプロピレン等の合成樹脂から形成されたフック状のトリムコード１２を端末に縫着し、このトリムコード１２をパイプフレーム２または支持プレート３に取り付けられるワイヤーフレーム１３に掛け止めることにより端末止着することができる。トリムコード１３を含めて、支持プレート３，トリムコード５並びに座金８，ワイヤー９は面状弾性体１の一辺において連続した一本ものを備え、または複数個の分割成形ものを定間隔毎に備え付けるようにもできる。
【００２２】
上述した実施の形態は車両用シートに基づいて説明したが、一般家具用のシートにも同様に適用することができる。
【００２３】
【発明の効果】
以上の如く、本発明に係る面状弾性体による座面を有するシートに依れば、断面Ｌ字状の支持プレートを備え、面状弾性体の端末を支持プレートの片辺に連結し、該支持プレートの片辺をシートフレームの上方で座面に沿って配置し、面状弾性体を支持プレートの他辺で引っ張るように該支持プレートの他辺をネジ止め具でシートフレームに締付け固定することから、シートフレームの上方領域を面状弾性体の引っ張り代として確保できて面状弾性体の張力を調整できると共に、面状弾性体をシートフレームの内側全域に亘って張設できるため、着座時のホールド性も良好に保てる。
【図面の簡単な説明】
【図１】  本発明に係る面状弾性体による座面を有するシートを示す外様斜視図である。
【図２】同シートにおける面状弾性体の端末止着構造を示す部分断面図である。
【図３】  同シートにおける面状弾性体の別の形態に係る端末止着構造を示す部分断面図である。
【図４】  同シートにおける面状弾性体の更に別の形態に係る端末止着構造を示す部分断面図である。
【符号の説明】
１        面状弾性体
２        シートフレーム
３        支持プレート
３ａ      支持プレートの片辺
３ｂ      支持プレートの他辺
４ａ，４ｂ      ネジ止め具
【図１】
0004009702.tif 000002
【図２】
0004009702.tif 000003
【図３】
0004009702.tif 000004
【図４】
0004009702.tif 000005